(57)【要約】【課題】  薬剤瓶を密閉している栓体に両頭針本体の針先を栓体の上面に対して直角な方向に確実に刺すことができるので、栓体の脱落を防止することができる針先ガイド器具の提供を課題とする。【解決手段】  円筒状の針先ガイド器具４０の上部には、天板部４１が配設され、天板部４１の上面には、所定の厚さを有する針先ガイド部４２が配設されている。天板部４１および針先ガイド部４２の中央部には、両頭針１０の両頭針本体１１の外径と略等しい径を有する針先ガイド孔４３が形成されている。円筒状の針先ガイド器具４０の内径は、薬剤瓶２０の瓶口２１の外径に略等しい値に選ばれており、その外径は、両頭針１０のカバー部１２の内径以下の値となるように選ばれている。【選択図】  図２
0003176985.tif 000002
【実用新案登録請求の範囲】
【請求項１】
薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶の前記瓶口との間に介装される円筒状の針先ガイド器具であって、
当該円筒状の針先ガイド器具の外径は、前記両頭針の円筒状の前記カバー部の内径以下の値に選ばれ、前記円筒状の針先ガイド器具の内径は、前記薬用瓶の前記瓶口の外径と略等しい値に選ばれ、前記円筒状の針先ガイド器具の一方の開口側には天板部が配設され、
該天板部の中央部を含む上面には所定の厚みを有する針先ガイド部が配設され、
前記天板部および前記針先ガイド部の中央部には、前記両頭針本体が貫通可能であり且つ前記両頭針本体の外径と略等しい径を有する針先ガイド孔が形成されていることを特徴とする針先ガイド器具。
【請求項２】
前記針先ガイド部の前記所定の厚みは、当該針先ガイド部の上端部が前記両頭針の前記支持板に当接するまで前記両頭針本体を前記針先ガイド孔を介して前記薬剤瓶の内部に挿入させた際、前記薬剤瓶の内部に位置する前記両頭針本体の先端部の針先穴部が全て前記薬剤瓶の内部に露出可能となる値であることを特徴とする請求項１に記載の針先ガイド器具。
【請求項３】
薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶との間に介装される円筒状の針先ガイド器具であって、
当該円筒状の針先ガイド器具の外径は、前記両頭針の円筒状の前記カバー部の内径と略等しい値に選ばれ、前記円筒状の針先ガイド器具の内径は、前記薬用瓶の外径と略等しい値に選ばれ、前記円筒状の針先ガイド器具の長さは、前記薬剤瓶の高さ以下の値に選ばれ、
前記円筒状の針先ガイド器具の一方の開口側の端部から他方の開口側付近に至る部分には、前記一方の開口部側の端部から前記他方の開口側付近に至る前記針先ガイド器具の長さ方向に沿った切断線が複数個形成され、
当該切断線の間に形成された短冊状部材の各々は、前記円筒状の針先ガイド器具の周辺方向に弾性的に変位可能であることを特徴とする針先ガイド器具。
【請求項４】
前記短冊状部材の前記一方の開口側の内側には突起部が形成されていることを特徴とする請求項３に記載の針先ガイド器具。
【考案の詳細な説明】
【技術分野】
【０００１】
本考案は、薬剤等が収納されている薬剤瓶を密閉しているゴム製の栓体に両頭針の針先を刺す際に用いる針先ガイド器具に関するものである。
【背景技術】
【０００２】
現在、病院等の医療施設においては、図１４に示したような薬剤瓶３０内の薬液Ｍを、点滴用チューブ６０を介して患者に投与する方法が多用されている。３２は、点滴用チューブ６０を接続するためのゴム製の栓体である。
【０００３】
通常このような薬液Ｍは、経年変化を防ぐために、図１５（ａ）に示したように、固体状の薬剤Ｘと液体状の薬液Ｙとに分離した状態で保管されており、使用する直前に、この薬剤Ｘと薬液Ｙとを混合して薬液Ｍを作り、その薬液Ｍを患者に投与している。
【０００４】
薬剤Ｘを収納してある薬剤瓶２０の内部と、薬液Ｙを収納してある薬剤瓶３０の内部とを連通させる器具としては、図１５（ａ）に示したような構成の両頭針１０が用いられている。このような両頭針１０は、円筒状のカバー部１２の中央部を仕切っている円盤状の支持板１３の中心部に、両端部に針先が形成されている両頭針本体１１の中央部が貫通した状態で固定されている構成になっている。
【０００５】
薬剤Ｘと薬液Ｙとを混合して薬液Ｍを作る場合には、図１５（ａ）に示したように、薬剤瓶２０を密閉しているゴム製の栓体に両頭針本体１１の一方の側の針先を刺した後、他方の針先を、薬剤瓶３０の瓶口３１の内側を密閉しているゴム製の栓体３２に刺して図１５（ｂ）に示したように薬剤瓶２０と薬剤瓶３０との内部を連通させた状態にする。このような状態で、薬液Ｙを薬剤瓶２０に入れて薬剤Ｘを溶かし、その溶液を再び薬剤瓶３０に回収した後、薬剤瓶３０から両頭針１０を外して薬液Ｍの製作を終了する。
【考案の概要】
【考案が解決しようとする課題】
【０００６】
以上説明した薬剤Ｘと薬液Ｙとを混合する過程において、図１６（ａ）に示したように、薬剤瓶２０の瓶口２１の内側を密閉しているゴム製の栓体２２に、両頭針本体１１の針先を栓体２２の上面に直角な方向ではなく傾けた状態で刺そうとした場合には、両頭針本体１１の外径は通常の注射針に比して太いために針先が刺さらず、その針先に押されて栓体２２が薬剤瓶２０の内部側に脱落してしまうことがあった。このように、図１６（ｂ）に示したような栓体２２が脱落した状態においては、薬剤Ｘが外気に触れて汚染されてしまう可能性があるために、このような薬剤Ｘは患者に投与することは出来ず廃棄処分にしなければならない。なお、図１６（ａ），（ｂ）において、２３は、栓体２２を瓶口２１に固定するための金属部材である。
【０００７】
即ち、従来は薬剤瓶２０の栓体２２に両頭針本体１１を上面に対して直角な方向に刺さない場合には、薬剤瓶２２内の薬剤Ｘを無駄にしてしまうという虞があった。
【課題を解決するための手段】
【０００８】
本考案の第１の手段は、薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶の前記瓶口との間に介装される円筒状の針先ガイド器具であって、当該円筒状の針先ガイド器具の外径は、前記両頭針の円筒状の前記カバー部の内径以下の値に選ばれ、前記円筒状の針先ガイド器具の内径は、前記薬用瓶の前記瓶口の外径と略等しい値に選ばれ、前記円筒状の針先ガイド器具の一方の開口側には天板部が配設され、該天板部の中央部を含む上面には所定の厚みを有する針先ガイド部が配設され、前記天板部および前記針先ガイド部の中央部には、前記両頭針本体が貫通可能であり且つ前記両頭針本体の外径と略等しい径を有する針先ガイド孔が形成されていることを特徴とするものである。ここで、前記針先ガイド部の前記所定の厚みは、当該針先ガイド部の上端部が前記両頭針の前記支持板に当接するまで前記両頭針本体を前記針先ガイド孔を介して前記薬剤瓶の内部に挿入させた際、前記薬剤瓶の内部に位置する前記両頭針本体の先端部の針先穴部が全て前記薬剤瓶の内部に露出可能となる値としてもよい。
【０００９】
本考案の第２の手段は、薬剤や薬液を内部に収納し且つゴム製の栓体によってその瓶口が密閉されている薬剤瓶の当該栓体を貫通する針先を両端部に具えた両頭針本体の中央部が、円筒状のカバー部の内側の中央部を閉塞するように設けられた円盤状の支持板の中心部を貫通した状態で固定されている両頭針と、前記薬剤瓶との間に介装される円筒状の針先ガイド器具であって、当該円筒状の針先ガイド器具の外径は、前記両頭針の円筒状の前記カバー部の内径と略等しい値に選ばれ、前記円筒状の針先ガイド器具の内径は、前記薬用瓶の外径と略等しい値に選ばれ、前記円筒状の針先ガイド器具の長さは、前記薬剤瓶の高さ以下の値に選ばれ、前記円筒状の針先ガイド器具の一方の開口側の端部から他方の開口側付近に至る部分には、前記一方の開口部側の端部から前記他方の開口側付近に至る前記針先ガイド器具の長さ方向に沿った切断線が複数個形成され、当該切断線の間に形成された短冊状部材の各々は、前記円筒状の針先ガイド器具の周辺方向に弾性的に変位可能であることを特徴とするものである。ここで、前記短冊状部材の前記一方の開口側の内側には突起部が形成されていてもよい。
【考案の効果】
【００１０】
本考案によれば、薬剤瓶を密閉している栓体に両頭針本体の針先を栓体の上面に対して直角な方向に確実に刺すことができるので、栓体の脱落を防止することができる。
【図面の簡単な説明】
【００１１】
【図１】本考案の実施例１の構成を示す構成図である。
【図２】本考案の実施例１の構成の説明図である。
【図３】本考案の実施例１の動作の説明図である。
【図４】本考案の実施例１の構成の説明図である。
【図５】本考案の実施例１の構成の説明図である。
【図６】従来の薬剤瓶の構成の説明図である。
【図７】従来の薬剤瓶の構成の説明図である。
【図８】本考案の実施例２の構成を示す構成図である。
【図９】本考案の実施例２の構成の説明図である。
【図１０】本考案の実施例２の動作の説明図である。
【図１１】本考案の実施例２の動作の説明図である。
【図１２】本考案の実施例２の動作の説明図である。
【図１３】本考案の実施例２の動作の説明図である。
【図１４】従来の点滴用品の説明図である。
【図１５】従来の点滴用品の説明図である。
【図１６】従来の点滴用品の説明図である。
【考案を実施するための形態】
【００１２】
以下、図面を用いて本考案の実施例を説明する。
【実施例１】
【００１３】
図１（ａ），（ｂ）は、本考案の実施例１の構成を示した図である。
【００１４】
図１（ａ），（ｂ）に示したように、本実施例１に係る針先ガイド器具４０は円筒状の形状をしており、その一方の開口側には天板部４１が配設されている。また、天板部４１の中央部を含む上面には針先ガイド部４２が配設されている。
【００１５】
天板部４１および針先ガイド部４２の中央部には両頭針本体１１の外径と略等しい径を有する針先ガイド孔４３が形成されている。
【００１６】
ここで、円筒状の針先ガイド器具４０の内径は、図２に示す薬剤瓶２０の瓶口２１の外径と略等しい値に選ばれているので、この針先ガイド器具４０は、薬剤瓶２０の瓶口２１の上部に冠着可能となっている。また、円筒状の針先ガイド器具４０の外径は、両頭針１０のカバー部１２の内径以下の値となるように選ばれている。
【００１７】
以上のように構成された本実施例１に係る針先ガイド器具４０を使用する場合には、図３（ａ）に示したように薬剤瓶２０の瓶口２１に針先ガイド器具４０を冠着させた状態にして、図３（ｂ），（ｃ）に示したように両頭針１０の両頭針本体１１を針先ガイド孔４３に差し込むように挿入する。
【００１８】
針先ガイド孔４３に挿入された両頭針本体１１は、針先ガイド孔４３に沿って移動する、即ち薬剤瓶２０の栓体２２の上面に対して直角な方向に移動するので、両頭針本体１１は栓体２２を確実に貫通する。
【００１９】
ここで、本実施例１においては、図３（ｃ）に示したように針先ガイド部４２の上面が、両頭針１０の支持板１３に当接した状態においては、栓体２２を貫通した両頭針本体１１の先端部に形成されている針先穴部が全て薬剤瓶２０の内部に露出するように針先ガイド部４２の厚みは選ばれている。
【００２０】
また、図４に示すように、針先ガイド部４２の外径を、針先ガイド孔４３の径よりも若干大きめの値となるように構成しておけば、図５（ａ）〜（ｃ）に示すように、その使用時においては、両頭針本体１１の移動方向を指し示す機能も、この針先ガイド部４２に付加することができる。
【実施例２】
【００２１】
現在、市場に出ている薬剤瓶の中には、図６，図７に示したように予め両頭針１０がセットされている薬剤瓶３０がある。このような薬剤瓶３０にセットされている両頭針１０においては、図６，図７に示すように、両頭針本体１１の先端部がカバー部１２の内部に位置しているものがあり、このようなタイプの両頭針１０においては、両頭針本体１１の方向が視認しづらく、従って、両頭針本体１１を薬剤瓶の栓体に差す際に、栓体の脱落が行きやすかった。図６において、１４はカバー部１２の内側に配設されている内筒である。
【００２２】
本考案の実施例２は、このようなタイプの両頭針１０に好適な構成の針先ガイド器具である。勿論、本実施例２は、実施例１の説明で使用したタイプの両頭針１０に対しても使用することができる。
【００２３】
図８に本実施例２の構成を示し、図９に本実施例２を両頭針１０に装着した状態を示す。
【００２４】
図８，図９に示したように、本実施例２に係る針先ガイド器具５０は、円筒状の形状をしている。この円筒状の針先ガイド器具５０の外径は、図９に示すように両頭針１０のカバー部１２の内径と略等しい値に選ばれており、その内径は、図８に示すように薬剤瓶２０の外径と略等しい値に選ばれている。さらに針先ガイド器具５０の長さは、図８に示すように薬剤瓶２０の高さ以下の値となるように選ばれている。
【００２５】
本実施例２においては、図８に示すように、円筒状の針先ガイド器具５０の一方の開口側から他方の開口側付近に至る部分には、一方の開口側の端部から他方の開口側付近に至る円筒の長さ方向に沿った切断線５１が複数個形成されている。そして、この切断線５１の間には複数個の短冊状部材５２が形成されている。各々の短冊状部材５２は、円筒の外周方向に弾性的に変位可能となるように構成されている。また、短冊状部材５２の上端部の内側には突起部５２ａが形成されている。
【００２６】
このように構成されている本実施例２においては、図９のように両頭針１０に装着した状態で、図１０に示すように上部から薬剤瓶を挿入する。
【００２７】
挿入された薬剤瓶２０は、その周囲を平均的に短冊状部材５２の突起部５２ａに押圧された状態で移動するので、両頭針本体１１は、図１１に示すように栓体２２を確実に貫通する。
【００２８】
ここで、薬剤瓶２０の外径が通常よりも大きい薬剤瓶２０を挿入した場合には、図１２に示したように薬剤瓶２０の挿入に従って各短冊状部材５２が円筒の外周方向に弾性的に変位し、薬剤瓶２０の周囲を平均的に押圧するので、薬剤瓶２０は針先ガイド器具５０の長さ方向に沿って移動する。従って、両頭針本体１１は栓体２２を確実に貫通する。この貫通した状態を図１３に示す。
【符号の説明】
【００２９】
１０  両頭針
１１  両頭針本体
１２  カバー部
１３  支持板
１４  内筒
２０，３０  薬剤瓶
２１，３１  瓶口
２２，３２  栓体
４０，５０  針先ガイド器具
４１  天板部
４２  針先ガイド部
４３  針先ガイド孔
５１  切断線
５２  短冊状部材
５２ａ  突起部
Ｍ，Ｙ  薬液
Ｘ  薬剤
【図１】
0003176985.tif 000003
【図２】
0003176985.tif 000004
【図３】
0003176985.tif 000005
【図４】
0003176985.tif 000006
【図５】
0003176985.tif 000007
【図６】
0003176985.tif 000008
【図７】
0003176985.tif 000009
【図８】
0003176985.tif 000010
【図９】
0003176985.tif 000011
【図１０】
0003176985.tif 000012
【図１１】
0003176985.tif 000013
【図１２】
0003176985.tif 000014
【図１３】
0003176985.tif 000015
【図１４】
0003176985.tif 000016
【図１５】
0003176985.tif 000017
【図１６】
0003176985.tif 000018